(57)【要約】【課題】従来から良く噛むと、脳に適度の振動を与えて、脳の発育を促し、機能が向上すると言われている、それを実証すべく、本発明は、万人が、手軽に、適所適時に、装着し、効果を上げる為に、本機器を発明した。【解決手段】咬合音と咬合振動を採集調整して、同時に癒し音楽を加味すれば、音と振動がより効果的に、側頭骨に伝達する、しかも、その際に咬合振動数の上昇を使用者が目で認識すれば、更に脳に良い刺激となって、脳の活性化を促し、脳に相乗的効果を上げる事を期待し、製作した機器である。【選択図】図１
2009136464.tif 000002
【特許請求の範囲】
【請求項１】
本発明は、人の頭頂より、ヘッドバンドにて、耳と頬骨の間へ、吊り下げて頬骨と側頭部に密着させる長楕円形状の主容器と、上衣の腰ポケット、又は、ポシェットに入れる箱型形状の副容器と、イヤホーンで、構成する機器であって、主容器の内部は、下方に、咬合音の録音と、咬合振動を収録する約１００円硬貨大の扁平形状の、２個のマイクを配置し、その上方に、咬合音と咬合振動を再生し増幅加減して側頭骨に伝達する約１００円硬貨大の扁平形状の２個のホーン、を配置する、副容器内には、咬合振動数を表示する機器と、採集した音と振動を増幅加減する機器と、歌曲録音超小型カセット、及び、小型乾電池数個の、各部品をまとめて収納する、以上の如く、咬合振動数表示機能と、咬合音及び咬合振動と癒し音楽を増幅加減して、側頭部及び聴道に伝達する機器よりなれる事を特徴とする音振動伝達器。
【発明の詳細な説明】
【技術分野】
【０００１】
本発明は咬合振動数を表示する機能を備え、正しく噛んだ音とその振動と癒し系音楽を脳に伝達して脳の知的能力を増進させる器具である
【背景技術】
【０００２】
咬合音と咬合振動を脳に伝達する器具については、従来から、数個の機器を使って構成した大掛かりな実験機器は存在した。然し、一般大衆が常用出来る軽便な機器は無い。
【０００３】
【特許文献１】０件
【非特許文献１】オクルーザルフォースメータを用いた咬合力測定について．  日本顎頭蓋機能学会雑誌１０： ６１，１９９７
【非特許文献２】低域特性の優れた 加速度センサによるMicrovibrationの測定．    日本補綴歯科学会雑誌   ２９：３３７-３４２，１９８５
【非特許文献３】1196904740281_0.htmシステムを用い，咬合接触を検査
【非特許文献４】噛むことと脳の働き、著者、上田  実  出版社、デンタルフォーラム、平成１２年１月２０日
【非特許文献５】咀嚼健康法  脳と心を守る。著者、上田  実  出版社、中公新書、発刊、１９９８年、１２月
【非特許文献６】かむこと  のむこと  たべること  咀嚼の科学  著者、大橋  靖  出版社、医歯薬出版、１９９６年  ９月
【非特許文献７】[くらし発見]よく[噛む]大切さ（その１）脳の発達促す。  歯科関連ニュース  IDN News Clip、
【発明の開示】
【発明が解決しようとする課題】
【０００４】
従来から良く噛む事は、脳の発達を促す、脳の知的能力を上げると明言され、書物に書かれて来た、しかしながら、これを普及する簡便な器具はなかった。
【課題を解決するための手段】
【０００５】
本発明は、ヘッドホーンに良く似た形態で、人の頭頂より、耳と頬骨の間へ、ヘッドバンドにて吊り下げる小器具にして、咬合音録音及び、咬合振動感知の機能を有する、約１００円硬貨大の扁平形状の２個のマイク、と、採集した音と振動を、増幅、加減して送信する、約１００円硬貨大の扁平円形状の２個の小型ホーンを、配置収納した、長方形状、乃至は、長楕円形状の扁平の小容器、を、主器１とし、
【０００６】
別に、音と振動の再生器と、歌曲を録音した小型カセット、及び、小型乾電池１−２個の、各部品をまとめて小容器に収納し、衣服の腰ポケット、又は、ポシェットに入れる、これを副器２とする、
【０００７】
副器２に、歩行計の如く、咬合時の振動数を感知して表示する機能４を設置する。
【０００８】
以上、主器１、副器２，とイヤホーンの３部品と、細いコード１３と、ヘッドバンド１５で構成する機器にして、集音及び、振動収録の２個のマイク５，６は人の下顎関節の位置の顔面表皮へ密着し、採集した咬合音と咬合振動を、増幅加減して伝達する２個のホーン７，８は人の側頭部の表面に密着する、これに、副器２に収納せる超小型ラジカセから、使用者の思考、感情の安静を助長する音楽を流して、咬合音と咬合振動を脳に伝達し易くした機能を有する発明品。
【発明の効果】
【０００９】
幼少年から成人に到るまで、正しい咬合によって発生する噛む音と噛む振動は脳に良い刺激を与えるという研究の実績はある。もう一方、医療現場において歯科医療機器等が不快音を発する時に、イヤーホンで患者に、癒し系の曲、アルビノーニのアダージョ、アルハンブラ宮殿の思い出、アランフェス協奏曲等を聞かせると、患者の心拍数が安定し、不安感が減少するという研究も現在まで積み重ねてきた。以上の２つの方法、即ち、咬合音、咬合振動と癒し系音楽を同時に個人の脳に伝達するならば、相乗効果があると考えられる。此の方法を機器化したものが本発明である。
【発明を実施するための最良の形態】
【００１０】
以下、本発明の実施の形態を図１〜図２に基づいて説明する。
【００１１】
図１はヘッドバンド１５にて、下顎頭と即頭骨の中央部に至る範囲、に接着させた主器１と、イヤホーン３からコード１３で副器２に接続させた構造。
【００１２】
図１の副器２は、つまみ９は電源のONとOFF、つまみ１０は咬合振動の採集と調整音を図２のホーン８に送る、つまみ１１は癒し音楽の調整音をイヤホーン３と図２のホーン７に送る、つまみ１２は咬合音の採集と調整音を図２のホーン７に送る、４は咬合振動数の表示窓。
【００１３】
図２は下顎頭１４から側頭骨へかけて、主器１を接着させた位置図。マイク５は咬合音を採集し調整してホーン７に送信する、マイク６は咬合振動を採集して調整してホーン８に送信する、ホーン７は小型ラジカセから受信した癒し音楽を調整してイヤホーン３と図２のホーン７で受信して側頭骨へ伝達する。ホーン８は咬合振動を調整して側頭骨へ伝達する。
【実施例】
【００１４】
本発明を実施する年齢は幼少年は勿論の事、若年、青年、壮年、熟年、老年、全ての年齢層に実施して効果がある。殊に老年は脳の老衰を阻止しボケ防止に効果があると期待できる。
【産業上の利用可能性】
【００１５】
実施例に記載した効果もさること乍ら、図１の咬合振動数表示窓４は、幼少年、青年に良く噛む事を勧める動機と効果について、母と子の会話「お母さん僕は今日３０００回も噛んだよ」「まあ、偉かったわねー、○○幼稚舎（又は○○高校）へ合格の確率は  急上昇よ」このようにプラス効果を期待できる。
【図面の簡単な説明】
【００１６】
【図１】下顎頭から側頭骨へ接着させた２個のマイクと２個のホーンと、咬合振動数表示器を具えた咬合音咬合振動調整器の略図
【図２】下顎頭から側頭骨へ接着させた２個のマイクと２個のホーンの位置図
【符号の説明】
【００１７】
１    本器
２    副器
３    イヤホーン  
４    咬合振動数表示窓
５    咬合音採集マイク
６    咬合振動採集マイク
７    咬合音伝達マイクロホーン
８    咬合振動伝達マイクロホーン
９    電源ＯＮ，ＯＦＦ
１０  咬合振動採集調整
１１  癒し音楽調整
１２  咬合音採集調整
１４  下顎頭
【図１】
2009136464.tif 000003
【図２】
2009136464.tif 000004